(57)【要約】【課題】ボード類の表面側で紙葉片を保持することができ、且つ、所定の小物を引っ掛け又は吊り下げ保持することができるクリップを提供すること。【解決手段】クリップ１２は、ボード類１０の端部に沿って設けられた縁部材１１に取り付け可能に設けられている。クリップ１２は、ボード類１０の表裏両側に位置するとともに、縁部材１１に引っ掛け可能な第１及び第２の挟持部材１５，１６と、第１及び第２の挟持部材１５，１６の相対面１５Ａ，１６Ａを連結する連結体１７と、相対面１５Ａ，１６Ａにそれぞれ設けられて相互に当接可能な突出部１９，１９と、第１の挟持部材１５の面から突出するフック部２０と、第１の挟持部材１５に設けられてボード類１０の面に紙葉片Ｐを押さえ付け可能に設けられた押さえ部２１とを備えて構成されている。【選択図】図１
2008094042.tif 000002
【特許請求の範囲】
【請求項１】
ボード類の端部に沿って設けられた縁部材に取り付け可能なクリップであって、
前記ボード類の表裏両側に位置するとともに、前記縁部材に引っ掛け可能な一対の挟持部材と、当該挟持部材の面から突出するフック部と、挟持部材に設けられて前記ボード類の面に紙葉片を押さえ付け可能に設けられた押さえ部とを備えていることを特徴とするクリップ。
【請求項２】
前記各挟持部材は、それらの相対面の面内中央領域で連結体を介して連結され、各挟持部材の一端側を接近操作することで連結体が弾性変形して各挟持部材の他端側が離間する方向に移動する一方、各挟持部材の相対面には、突出部がそれぞれ設けられ、これら突出部が前記接近操作時に相互に当接することで前記他端側間の離間距離が一定に保たれることを特徴とする請求項１記載のクリップ。
【請求項３】
前記突出部に、所定の紐部材を挿通可能な穴を設けたことを特徴とする請求項２記載のクリップ。
【請求項４】
少なくとも一方の挟持部材は、正面視で所定方向を表示する形状を備えていることを特徴とする請求項１，２又は３記載のクリップ。
【請求項５】
何れか一方の挟持部材には、前記フック部が連なって設けられている一方、何れか他方の挟持部材は、正面視で所定方向を表示する形状を備えていることを特徴とする請求項１，２又は３記載のクリップ。
【請求項６】
前記フック部は、軸部と、この軸部の先端側に連なるとともに、軸部より大きい径寸法を備えた円盤状部とからなることを特徴とする請求項１ないし５の何れかに記載のクリップ。
【発明の詳細な説明】
【技術分野】
【０００１】
本発明は、クリップに係り、更に詳しくは、ボード類外周の縁部材に取り付けることができるクリップに関する。
【背景技術】
【０００２】
従来より、ホワイトボード等のボード類の外周に位置する縁部材に着脱可能に設けられたクリップが知られている（例えば、特許文献１，２参照）。特許文献１では、表裏一対の片体が筆記板を挟持するとともに、筆記板の周辺部の枠体に片体が引っ掛かるようになっている。また、同文献では、各片体の間に位置するフック材を介して収納箱を吊り下げできるようになっている。
【０００３】
【特許文献１】実公昭４６−４９７５号公報
【特許文献２】実公昭４２−１２３７１号公報
【発明の開示】
【発明が解決しようとする課題】
【０００４】
ところで、前記ボード類にあっては、その正面の筆記面や掲示面にメモ等を保持する場合、マグネットや画鋲等が利用されている。従って、前記収納箱の保持のためにはクリップが必要となり、メモを掲示するためには、クリップの他にマグネット等が必要となるので、ボード類に装着される部材が多数になるという不都合がある。
【０００５】
［発明の目的］
本発明は、このような不都合に着目して案出されたものであり、その目的は、ボード類の面にメモ等の紙葉片を保持することができ、且つ、所定の小物を引っ掛け又は吊り下げ保持することができるクリップを提供することにある。
【課題を解決するための手段】
【０００６】
前記目的を達成するため、本発明は、ボード類の端部に沿って設けられた縁部材に取り付け可能なクリップであって、
前記ボード類の表裏両側に位置するとともに、前記縁部材に引っ掛け可能な一対の挟持部材と、当該挟持部材の面から突出するフック部と、挟持部材に設けられて前記ボード類の面に紙葉片を押さえ付け可能に設けられた押さえ部とを備える、という構成を採っている。
【０００７】
本発明において、前記各挟持部材は、それらの相対面の面内中央領域で連結体を介して連結され、各挟持部材の一端側を接近操作することで連結体が弾性変形して各挟持部材の他端側が離間する方向に移動する一方、各挟持部材の相対面には、突出部がそれぞれ設けられ、これら突出部が前記接近操作時に相互に当接することで前記他端側間の離間距離が一定に保たれる、という構成が好ましくは採用される。
【０００８】
また、前記突出部に、所定の紐部材を挿通可能な穴を設けるとよい。
【０００９】
更に、少なくとも一方の挟持部材は、正面視で所定方向を表示する形状を備える、という構成を採ることが好ましい。
【００１０】
また、何れか一方の挟持部材には、前記フック部が連なって設けられている一方、何れか他方の挟持部材は、正面視で所定方向を表示する形状を備えるようにしてもよい。
【００１１】
更に、前記フック部は、軸部と、この軸部の先端側に連なるとともに、軸部より大きい径寸法を備えた円盤状部とからなる、という構成を採用してもよい。
【発明の効果】
【００１２】
本発明によれば、小物類を引っ掛けたり吊り下げたりして保持する機能と、メモ等の紙葉片をボード類に掲示する機能とを単一のクリップにより発揮することができ、使い勝手を向上させることができるばかりでなく、ボード類に装着される部材の点数を削減することが可能となる。
【００１３】
また、各挟持部材の相対面にそれぞれ突出部を設けたので、挟持部材の接近操作時に、連結体に過大な負荷が付与されることを防止することができ、縁部材へのクリップの着脱を安定して行うことが可能となる。
【００１４】
更に、突出部に穴を形成することにより、紐部材を用いてボード類を吊り下げる際の利便性を向上させることができる。
【００１５】
また、挟持部材が方向を表示する形状としたので、当該挟持部材により指し示されたボード類の内容若しくは位置に容易に注意を喚起することができる。特に、一方の挟持部材にフック部を設け、他方の挟持部材に表示機能をもたせた場合、使用用途に応じていわゆるリバーシブルに使い分けを行うことができる。
【００１６】
更に、軸部と円盤状部とによりフック部が形成されるので、例えば、長方形のボード類における上下左右の何れの縁部材にクリップを取り付けても、フック機能を同様に発揮することが可能となる。
【発明を実施するための最良の形態】
【００１７】
以下、本発明の実施の形態を図面を参照しながら説明する。
【００１８】
図１には、実施形態に係るクリップが取り付けられたボード類の部分概略斜視図が示されている。また、図２には、前記クリップの正面図が示され、図３には、図１のＡ−Ａ線に沿う断面図が示されている。これらの図において、ボード類１０は、正面視方形状に形成され、表面が筆記面又は掲示面として利用可能な処理が施されている。また、ボード類１０は、四辺に沿う端部に沿って縁部材１１が設けられ、当該縁部材１１にクリップ１２が着脱自在に取り付けられている。
【００１９】
前記縁部材１１は、ボード類１１の表面側に位置する表部１１Ａと、ボード類１１の裏面側に位置する裏部１１Ｂと、これら表部１１Ａ及び裏部１１Ｂの図３中上端部を連結する外周部１１Ｃとを備えた断面視コ字に類似した形状に設けられている。本実施形態では、表部１１Ａの図３中上下幅が裏部１１Ｂよりも短く設定されている。
【００２０】
前記クリップ１２は、適宜な樹脂材料を用いた一体成形品により構成されている。クリップ１２は、ボード類１１の表側に位置する第１の挟持部材１５と、ボード類１１の裏側に位置する第２の挟持部材１６と、これら第１及び第２の挟持部材１５，１６の相対面１５Ａ，１６Ａを連結する連結体１７と、前記相対面１５Ａ，１６Ａにそれぞれ設けられた突出部１９，１９と、第１の挟持部材１５の正面側から突出するフック部２０と、第１の挟持部材１５の図３中下側に連なって設けられた押さえ部２１とを備えて構成されている。
【００２１】
前記第１及び第２の挟持部材１５，１６は、正面視で略円形をなす板状にそれぞれ設けられている。第１の挟持部材１５の正面には、図２中左右に延びる突条１５Ｂが設けられ、この突条１５Ｂが第１の挟持部材１５を指先で操作する際の滑り止めとして作用する。図３ないし図５に示されるように、第１の挟持部材１５の相対面１５Ａ側には、前記表部１１Ａの端部に引っ掛け可能な爪部２３が設けられている。また、第２の挟持部材１６の相対面１６Ａ側には、前記裏部１１Ｂの端部に引っ掛け可能な爪部２４が設けられ、これら爪部２３，２４の引っ掛けにより縁部材１１にクリップ１０が装着されるようになっている。
【００２２】
前記連結体１７は、前記相対面１５Ａ，１６の面内中央位置より図３中若干上方の領域を相互に連結しているとともに、各挟持部材１５，１６より薄い厚みの片状に形成されている。連結体１７は、図６に示されるように、第１及び第２の挟持部材１５，１６の一端側（同図中上端側）を接近する操作によって、しなるように弾性変形可能に設けられ、この弾性変形により各挟持部材１５，１６の他端側（同図中下端側）が離間する方向に移動する。また、連結体１７は、図７に示されるように、ボード類１０から取り外した無負荷状態において、各挟持部材１５，１６の同図中上端間の離間幅が下端間の離間幅より大きくなるように設定されている。
【００２３】
前記第１の挟持部材１５に設けられた突出部１９は、前記連結体１７より図３中上方位置に設けられ、同図中紙面直交方向に延びる穴２６が設けられている。この穴２６には、ボード類１０を吊り下げるため等に用いられる図示しない紐等を挿通できるようになっている。第２の挟持部材１６に設けられた突出部１９は、第１の挟持部材１５に設けられた突出部１９に対向する位置に略半球状に形成されている。
【００２４】
前記フック部２０は、第１の挟持部材１５の正面中心部から突出する軸部２８と、この軸部２８の先端側に連なるとともに、軸部２８より大きい径寸法を備えた円盤状部２９とからなる形状に設けられている。フック部２０は、図１に示されるように、鍵Ｋのループ状部材Ｋ１を引っ掛けたときに、円盤状部２９がループ状部材Ｋ１の抜け止めとして作用するようになっている。
【００２５】
前記押さえ部２１は、図３に示されるように、側面視で半円弧状に湾曲した膨出面に形成されてボード類１０の表面に接触可能に設けられている。従って、ボード類１０の表面と押さえ部２０との間にメモ等の紙葉片Ｐを挿入すると、押さえ部２１がボード類１０に紙葉片Ｐを押さえ付けるようになる。また、押さえ部２１は、正面視で略三角形状に下方に突出するように設けられ、図２中下方向を示すように表示する形状となっている。
【００２６】
以上の構成において、図１に示されるように、クリップ１２は、左右に延びる縁部材１１だけでなく上下に延びる縁部材１１にも取り付けることができる。この状態で、ボード類１０の正面と押さえ部２１との間に紙葉片Ｐを差し込むことにより、当該紙葉片Ｐが保持される。しかも、フック部２０には鍵Ｋに設けられた紐等のループ状部材Ｋ１を引っ掛けることにより、鍵Ｋも保持可能となる。ここで、図１の二つのクリップ１２は、向きが異なって取り付けられているものの、それらのフック部２０の軸部２８及び円盤状部２９の相対位置は同様になり、クリップ１２の向きが変わってもフック部２０の機能が保たれることとなる。
【００２７】
また、縁部材１１にクリップ１２を着脱する場合、図６に示されるように、第１及び第２の挟持部材１５，１６の同図中上端側を離間接近押圧部として指先で摘んで接近して連結体１７を変形し、各挟持部材１５，１６の下端側が相互に離れるように操作する。すると、前記各突出部１９，１９が相互に当接し、前記摘み操作による各挟持部材１５，１６の移動が規制される。このとき、前記各爪部２３，２４の縁部材１１との引っ掛けが解除されるとともに、各爪部２３，２４の間における縁部材１１の通過を許容するように各挟持部材１５，１６の下端側間の離間距離が一定に保たれ、且つ、変形した連結体１７に過度の応力が生じることが防止されるようになっている。
【００２８】
従って、このような実施形態によれば、単一のクリップ１２により、ボード類１０の表面側においてループ状部材Ｋ１と、紙葉片Ｐとを同時に保持することができる。また、前記爪部２３，２４が縁部材１１の延出方向に沿って位置するので、クリップ１２を縁部材１１に取り付けた状態のまま当該縁部材１１の延出方向にスライド移動することができ、クリップ１２の位置調整を容易に行うことができる。
更に、フック部２０が円盤状部２９を備え、第１の挟持部材１５の正面中央に位置するので、ボード類１０の四辺に沿う何れの縁部材１１にクリップ１０を引っ掛けて取り付けても、フック部２０の向きを選ばずにフックとしての機能を発揮することができる。従って、従来タイプのフック、すなわち、挟持部材から下方に延びて側面視Ｊ字状若しくは鈎状をなすフックでは向きが限定されるという不都合を解消することが可能となる。
【００２９】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材質、その他の詳細な構成において、当業者が様々な変形を加えることができるものである。
従って、上記に開示した構成は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記第１及び第２の挟持部材１５，１６の正面形状は、相互に異なる形状にする等、種々の変更が可能であり、図８に示されるように変更することが例示できる。同図のクリップ１２は、第１の挟持部材１５を前述と同様の形態としつつ、第２の挟持部材１６をボード類１０の正面側に位置させるとともに、その形状を矢印形状とし、所定方向（図では横向きであってボード類１０の内側方向）を表示するようになっている。これによれば、第１及び第２の挟持部材１５，１６をいわゆるリバーシブルに使い分けすることができ、また、第２の挟持部材１６をボード類１０の所定位置（図では「山田」）の内容を指し示す表示として、より視認し易くすることが可能となる。
【図面の簡単な説明】
【００３１】
【図１】実施形態に係るクリップが取り付けられたボード類の部分概略斜視図。
【図２】前記クリップの正面図。
【図３】図１のＡ−Ａ線に沿う断面図。
【図４】図３のＢ−Ｂ線に沿うクリップの断面図。
【図５】図３のＣ−Ｃ線に沿うクリップの断面図。
【図６】前記クリップの着脱中の状態を示す図３と同様の断面図。
【図７】前記クリップの側面図。
【図８】変形例に係るクリップを示す図１と同様の斜視図。
【符号の説明】
【００３２】
１０  ボード類
１１  縁部材
１２  クリップ
１５  第１の挟持部材
１５Ａ  相対面
１６  第２の挟持部材
１６Ａ  相対面
１７  連結体
１９  突出部
２０  フック部
２１  押さえ部
２６  穴
２８  軸部
２９  円盤状部
Ｐ  紙葉片
【図１】
2008094042.tif 000003
【図２】
2008094042.tif 000004
【図３】
2008094042.tif 000005
【図４】
2008094042.tif 000006
【図５】
2008094042.tif 000007
【図６】
2008094042.tif 000008
【図７】
2008094042.tif 000009
【図８】
2008094042.tif 000010